(57)【特許請求の範囲】
【請求項１】
小便器の鉢面の下端部に配置され、尿を貯留するための貯留空間を有する本体部と、
前記貯留空間内の尿を前記本体部外へ排出させるための排出口と、
下端のディップを前記貯留空間の底部に連通させるとともに上端のウェアを前記排出口に連通させた形態であって、前記貯留空間内の尿が排出されるときに尿の上昇流路となる封水部とを備えた小便器用排水トラップであって、
前記貯留空間内には、その上端から前記ディップに向かう尿の下降流路の途中を局部的に狭めた形態の狭小部が形成されていることを特徴とする小便器用排水トラップ。
【請求項２】
前記本体部の上方には、前記鉢面に沿って流下した尿を前記貯留空間に流入させる流入口が開口しており、
前記貯留空間に貯留されている尿の液面が、尿よりも比重の小さい非水溶性のシール液で覆われており、
前記貯留空間内には、前記流入口に対しその下方で対峙するように上向きに開口する対流空間を形成するための仕切部が設けられ、
前記下降流路のうち前記仕切部の突き出している部分が前記狭小部となっていることを特徴とする請求項１記載の小便器用排水トラップ。
【請求項３】
小便器の鉢面の下端部に配置され、尿を貯留するための貯留空間を有する本体部と、
前記貯留空間内の尿を前記本体部外へ排出させるための排出口と、
下端のディップを前記貯留空間の底部に連通させるとともに上端のウェアを前記排出口に連通させた形態であって、前記貯留空間内の尿が排出されるときに尿の上昇流路となる封水部とを備えた小便器用排水トラップであって、
前記貯留空間内には、前記貯留空間の少なくとも底面を含む領域を、前記ディップに向かって下り勾配となるように螺旋状に傾斜させた形態の螺旋状傾斜面が形成されていることを特徴とする小便器用排水トラップ。
【請求項４】
前記貯留空間内には、前記ディップに向かって下り勾配となるように傾斜した誘導斜面が形成されていることを特徴とする請求項１ないし請求項３のいずれか１項に記載の小便器用排水トラップ。
【請求項５】
前記誘導斜面は、前記貯留空間の内壁面の全周に亘って形成されることで略擂り鉢状をなしていることを特徴とする請求項４記載の小便器用排水トラップ。
【請求項６】
尿の液面が前記ウェアと同じ高さとなる封水状態における尿の貯留量が３００ｍＬ以下であることを特徴とする請求項１ないし請求項５のいずれか１項に記載の小便器用排水トラップ。
【請求項７】
前記貯留空間に貯留されている尿の液面が、尿よりも比重の小さい非水溶性のシール液で覆われていることを特徴とする請求項１、請求項３ないし請求項６のいずれか１項に記載の小便器用排水トラップ。
【発明の詳細な説明】
【技術分野】
【０００１】
本発明は、小便器用排水トラップに関するものである。
【背景技術】
【０００２】
特許文献１には、従来の小便器用排水トラップとして、小便器の鉢面の下端部に配置され、尿を貯留するための貯留空間を有する本体部と、貯留空間内の尿を本体部外へ排出させるための排出口と、下端のディップを貯留空間の底部に連通させるとともに上端のウェアを排出口に連通させた形態であって、貯留空間内の尿が排出されるときに尿の上昇流路となる封水部とを備えたものが開示されている。
【先行技術文献】
【特許文献】
【０００３】
【特許文献１】特許第３５１５７８５号公報
【発明の概要】
【発明が解決しようとする課題】
【０００４】
この種の小便器用排水トラップでは、貯留空間の底部に尿中沈殿物が沈殿することは避けられない。この沈殿した尿中沈殿物が、尿の排出時に排出口まで到達せずに貯留空間に残留し、その尿中沈殿物の残留量が封水部のディップを上回る高さになると、封水部の上流端が尿中沈殿物によって閉塞され、排水ができなくなることが懸念される。
【０００５】
本発明は上記のような事情に基づいて完成されたものであって、尿中沈殿物を確実に排出できるようにすることを目的とする。
【課題を解決するための手段】
【０００８】
請求項１の発明は、小便器の鉢面の下端部に配置され、尿を貯留するための貯留空間を有する本体部と、前記貯留空間内の尿を前記本体部外へ排出させるための排出口と、下端のディップを前記貯留空間の底部に連通させるとともに上端のウェアを前記排出口に連通させた形態であって、前記貯留空間内の尿が排出されるときに尿の上昇流路となる封水部とを備えた小便器用排水トラップであって、前記貯留空間内には、その上端から前記ディップに向かう尿の下降流路の途中を局部的に狭めた形態の狭小部が形成されているところに特徴を有する。
【０００９】
請求項２の発明は、請求項１に記載のものにおいて、前記本体部の上方には、前記鉢面に沿って流下した尿を前記貯留空間に流入させる流入口が開口しており、前記貯留空間に貯留されている尿の液面が、尿よりも比重の小さい非水溶性のシール液で覆われており、前記貯留空間内には、前記流入口に対しその下方で対峙するように上向きに開口する対流空間を形成するための仕切部が設けられ、前記下降流路のうち前記仕切部の突き出している部分が前記狭小部となっているところに特徴を有する。
【００１０】
請求項３の発明は、小便器の鉢面の下端部に配置され、尿を貯留するための貯留空間を有する本体部と、前記貯留空間内の尿を前記本体部外へ排出させるための排出口と、下端のディップを前記貯留空間の底部に連通させるとともに上端のウェアを前記排出口に連通させた形態であって、前記貯留空間内の尿が排出されるときに尿の上昇流路となる封水部とを備えた小便器用排水トラップであって、前記貯留空間内には、前記貯留空間の少なくとも底面を含む領域を、前記ディップに向かって下り勾配となるように螺旋状に傾斜させた形態の螺旋状傾斜面が形成されているところに特徴を有する。
【００１１】
請求項４の発明は、請求項１ないし請求項３のいずれかに記載のものにおいて、前記貯留空間内には、前記ディップに向かって下り勾配となるように傾斜した誘導斜面が形成されているところに特徴を有する。
【００１２】
請求項５の発明は、請求項４に記載のものにおいて、前記誘導斜面は、前記貯留空間の内壁面の全周に亘って形成されることで略擂り鉢状をなしているところに特徴を有する。
【００１３】
請求項６の発明は、請求項１ないし請求項５のいずれかに記載のものにおいて、尿の液面が前記ウェアと同じ高さとなる封水状態における尿の貯留量が３００ｍＬ以下であるところに特徴を有する。
【００１４】
請求項７の発明は、請求項１、請求項３ないし請求項６のいずれかに記載のものにおいて、前記貯留空間に貯留されている尿の液面が、尿よりも比重の小さい非水溶性のシール液で覆われているところに特徴を有する。
【発明の効果】
【００１７】
＜請求項１の発明＞
尿が下降流路を流れる際には、尿の流速が、狭小部において急に高まり、狭小部を通過後に急に低下するので、狭小部よりも下流側、即ち貯留空間の底部では乱流状態となり、この乱流により貯留空間の底部に沈殿している尿中沈殿物が巻き上げられる。巻き上げられた尿中沈殿物は、排出される尿の流れに乗じて上昇流路を上昇するので、確実に排出される。これにより、尿中沈殿物を確実に排出させることができる。
【００１８】
＜請求項２の発明＞
流入口から流入した尿によって引き込まれたシール液は、対流空間内で対流した後、対流の消失に伴って浮力により上昇するので、上昇流路を通って流出する虞がない。シール液の流出防止手段である対流空間を形成するための仕切部が、狭小部を形成するための手段を兼ねているので、狭小部を、仕切部とは独立して形成したものに比べると、貯留空間内の形状を簡素化することができる。
【００１９】
＜請求項３の発明＞
貯留空間で沈降して貯留空間の底面上即ち螺旋状傾斜面上に落ちた尿中沈殿物は、螺旋状傾斜面の傾斜にしたがって転がり、ディップの近傍に集まる。また、尿中沈殿物が螺旋状傾斜面上に溜まった場合でも、貯留空間内の尿が排出される際には、尿が、螺旋状傾斜面に沿った流れとなるので、螺旋状傾斜面上の尿中沈殿物は、尿の流れに引きずられてディップまで到達する。したがって、尿中沈殿物は、排出される尿の流れに乗じてディップから上昇流路内に確実に引き込まれて排出される。これにより、尿中沈殿物を確実に排出させることができる。
【００２０】
＜請求項４の発明＞
貯留空間内で沈降した尿中沈殿物は、誘導斜面上に落ちるのであるが、誘導斜面はディップに向かって下り勾配となるように傾斜しているので、尿中沈殿物は誘導斜面の傾斜によりディップの近傍に集まる。したがって、尿中沈殿物は、確実に上昇流路内に導かれて排出される。
【００２１】
＜請求項５の発明＞
誘導斜面が、貯留空間の内壁面の全周に亘る略擂り鉢状をなしているので、ほぼ全ての尿中沈殿物を確実にディップの近傍に集めることができる。
【００２２】
＜請求項６の発明＞
健常者の一回の平均排尿量が３００ｍＬであるとの調査結果に基づき、尿の液面がウェアと同じ高さとなる封水状態における尿の貯留量を３００ｍＬ以下としたので、排尿が行われる度に、排尿前に貯留空間内に貯留されていた尿の大部分が排出されて、新しい尿と入れ替わる。これにより、貯留空間の底部に尿中沈殿物が残留し、増加することを防止することができる。
【００２３】
＜請求項７の発明＞
貯留空間内に貯留されている尿の液面をシール液で覆い隠したので、尿から発せられる異臭が大気中に放散される虞がない。
【図面の簡単な説明】
【００２４】
【図１】実施形態１の断面図
【図２】実施形態２の断面図
【図３】実施形態２の螺旋状傾斜面をあらわす一部切欠斜視図
【図４】実施形態３の螺旋状傾斜面をあらわす一部切欠斜視図
【図５】実施形態４の断面図
【図６】実施形態５の一部切欠斜視図
【図７】実施形態５の螺旋状傾斜面をあらわす斜視図
【発明を実施するための形態】
【００２５】
＜実施形態１＞
以下、本発明を具体化した実施形態１を図１を参照して説明する。本実施形態１の小便器用排水トラップＡは、小便器１とは別体の交換可能なカートリッジタイプのものであって、小便器１の鉢面２の下端部に配置されている。小便器用排水トラップＡは、尿Ｕを貯留するための貯留空間１４を有する本体部１０と、貯留空間１４内の尿Ｕを本体部１０外へ排出させるための排出口３０と、下端のディップ２６を貯留空間１４の底部に連通させるとともに上端のウェア２８を排出口３０に連通させた形態であって、貯留空間１４内の尿Ｕが排出されるときに尿Ｕの上昇流路２７となる封水部２５とを備えて構成されている。この小便器用排水トラップＡには、小便器１に向けて放出された尿Ｕが所定量だけ一時的に貯留されるようになっており、小便器１に排尿される度に、貯留されている尿Ｕの少なくとも一部が排出されるようになっている。
【００２６】
本体部１０は、筒状の周壁部１１と、周壁部１１の上面の大部分を覆う板状の蓋部１２と、周壁部１１の下面を全領域に亘って塞ぐ板状の底面部１３とを備えている。本体部１０の内部は、尿Ｕとシール液Ｓを貯留するための貯留空間１４となっている。周壁部１１（本体部１０）の上面の開口のうち蓋部１２で覆われていない領域は、鉢面に沿って流下した尿Ｕを貯留空間１４に流入させるための流入口１５となっている。底面部１３は、その全領域に亘り水平面に対して傾斜しており、この底面部１３の上面（貯留空間１４の内底面）は、後述するディップ２６に向かって下り勾配となるように傾斜した誘導斜面１６となっている。底面部１３のうち最も低い部分（本体部１０の下端部）には、底面部１３を上下に貫通する流出口１７が形成されている。
【００２７】
上記した流入口１５は、水平方向において流出口１７と対応する位置、即ち流出口１７のほぼ真上の位置に配置されている。そして、貯留空間１４内には、流入口１５に対しその下方で対峙するように位置する仕切部１８が設けられている。仕切部１８は、周壁部１１の内壁面から略水平に延出する板状の受け部１９と、受け部１９の周縁部に沿って鉛直方向上向きに延出した形態の仕切壁２０とからなり、仕切壁２０は、周壁部１１の内壁面に連なっている。この仕切部１８の内部は、流入口１５に対しその下方で対峙するように上方のみに開口した形態の対流空間２１となっている。
【００２８】
貯留空間１４内に貯留されている尿Ｕが排出されるときには、尿Ｕが誘導斜面１６に沿ってディップ２６（流出口１７）に向かうように斜め下向きに流れるので、貯留空間１４は、尿Ｕの排出時における下降流路２２を構成する。上記の仕切部１８は、その受け部１９と仕切壁２０とが略直角に連なる部分を、下降流路２２に向かって突出させた形態となっている。この仕切部１８の突出形態により、下降流路２２のうち流路の途中を局部的に狭めた形態の狭小部２３が形成されている。
【００２９】
流出口１７には、略Ｕ字形の管状をなす導入路２４の上流端が連なっている。導入路２４の上向きの下流端には、軸線を鉛直方向に向けた円筒状をなす封水部２５の上流端（下端）であるディップ２６が連なっている。導入路２４のうちディップ２６よりも上流側（封水部２５とは反対側）の空間は、本体部１０の内部空間と同じく貯留空間１４を構成し、この導入路２４内の空間は貯留空間１４の底部となっている。封水部２５の内部空間は、貯留空間１４内の尿Ｕが本体部１０外へ排出されるときに、尿Ｕを上向きに流動させるための上昇流路２７となっている。
【００３０】
封水部２５の下流端（上端）であるウェア２８には、概ね逆Ｕ字形をなす管状の導出路２９の上流端が連なっている。そして、導出路２９の下向きの下流端は、上昇流路２７を通過した尿Ｕを排出するための排出口３０となっている。この排出口３０には、軸線を上下方向に向けた管状をなす排出路３１の上流端が連なっている。排出路３１の下端の開口は、図示しない配水管に連通されている。
【００３１】
通常は、貯留空間１４（導入路２４を含む）と封水部２５（上昇流路２７）内には、所定量の尿Ｕが貯留されている。このときの、上昇流路２７における尿Ｕの液面はウェア２８と同じ高さであり、上昇流路２７中に尿Ｕが満たされることにより、排水管からの異臭が小便器１側へ放出されることを防止する封水状態が保たれる。また、貯留空間１４内においては、尿Ｕの液面が、尿Ｕよりも比重の小さい非水溶性のシール液Ｓで覆われている。このシール液Ｓにより、貯留空間１４内に貯留されている尿Ｕは、大気中に直接触れることがないので、尿Ｕから発せられる異臭が大気中に放散されることはない。そして、貯留空間１４内におけるシール液Ｓの液面高さは、上昇流路２７内の尿Ｕの液面よりも僅かに上方の高さである。
【００３２】
小便器１に向けて排尿されると、尿Ｕは、鉢面に沿って流下して蓋部１２の上面を伝って流入口１５に至る経路、又は直接流入口１５に至る経路を経て、貯留空間１４内に流入する。貯留空間１４内に流入した尿Ｕは、シール液Ｓを突き抜けて対流空間２１内に進入し、流れを下向きから上向きに転じて対流を生じ、さらに、仕切壁２０を乗り越えて下降流路２２（誘導斜面１６）に沿って斜め下向きに流れ、流出口１７、導出路２９、上昇流路２７を順に経て、ウェア２８から溢れだし、排出口３０から排出路３１内に落下して配水管へ排出される。流入口１５からの尿Ｕの流入が終ると、上昇流路２７内の尿Ｕの液面がウェア２８と同じ高さとなる封水状態に戻る。
【００３３】
また、尿Ｕの流入により、シール液Ｓの一部が攪拌されて対流空間２１内に引き込まれるのであるが、引き込まれたシール液Ｓは、仕切部１８の水平な受け部１９に跳ね返されて対流空間２１内で対流を生じるので、下降流路２２まで流出し難い。そして、シール液Ｓは尿Ｕよりも比重が小さいので、尿Ｕの流入の勢いが弱まると、対流空間２１内のシール液Ｓは、浮力により上昇して、尿Ｕの液面を覆っているシール液Ｓと合流する。また、仮に、シール液Ｓの一部が、対流空間２１から仕切壁２０を乗り越える尿Ｕの流れに乗じて対流空間２１外へ流れ出たとしても、シール液Ｓの比重は尿Ｕより小さいので、対流空間２１外へ流れ出たシール液Ｓは、下降流路２２には至らずに浮力により上昇して、尿Ｕの液面を覆っているシール液Ｓと合流する。したがって、多量のシール液Ｓが排出口３０から排出される虞がなく、使用期間が長期に亘ってもシール液Ｓの減少を抑えることができる。
【００３４】
尿Ｕの流入が行われていない間、尿中沈殿物（図示省略）が、沈降して誘導斜面１６及び導入路２４の底面に落下する。ここで、誘導斜面１６は、水平面に対してディップ２６（流出口１７）に向かって下り勾配となるように傾斜しているので、誘導斜面１６上に落下した尿中沈殿物は、誘導斜面１６の傾斜にしたがって転がり落ち、流入口１５から導入路２４の底面上（貯留空間１４の底部）、即ちディップ２６の近傍に至る。このように、尿中沈殿物の大部分は、ディップ２６の近傍に集まるようになっている。そして、この尿中沈殿物は、貯留空間１４内の尿Ｕが導入路２４を通過する際に、その尿Ｕの流れに乗じて巻き上げられ、上昇流路２７を上昇して確実に排出される。
【００３５】
また、貯留空間１４内には、その上端からディップ２６に向かう尿Ｕの下降流路２２の途中を局部的に狭めた形態の狭小部２３が形成されている。これにより、尿Ｕが下降流路２２を流れる際には、尿Ｕの流速が、狭小部２３において急に高まり、狭小部２３を通過後に急に低下するので、狭小部２３よりも下流側である貯留空間１４の底部（即ち、ディップ２６の下方の近傍領域）では乱流状態となり、この乱流により貯留空間１４の底部に沈殿している尿中沈殿物が巻き上げられる。巻き上げられた尿中沈殿物は、排出される尿Ｕの流れに乗じて上昇流路２７を上昇するので、確実に排出される。
【００３６】
特に、本実施形態では、シール液Ｓの流出防止手段である対流空間２１を形成するための仕切部１８が、狭小部２３を形成するための手段を兼ねているので、狭小部２３を、仕切部１８とは独立して形成したものに比べると、貯留空間１４内の形状を簡素化することができる。
【００３７】
また、本実施形態では、上昇流路２７の尿Ｕの流動方向（鉛直上向き方向）と直角（水平）な断面積は、尿排出時における上昇流路２７内の尿Ｕの上昇速度が、尿中沈殿物の沈降速度を上回るような大きさに設定されている。これにより、尿Ｕが上昇流路２７を上昇する際には、その尿Ｕの流れに乗じた尿中沈殿物は沈降しながらも、確実に上昇を続ける。したがって、尿中沈殿物は、貯留空間１４の底部や導入路２４内に残留することなく、確実に排出される。
【００３８】
尚、上昇流路２７の尿Ｕの流動方向と直角な断面積は、５８８．２ｍｍ2よりも狭い面積としている。この数値の選択は、次の理由による。一般的に、健常者の一回当たりの排尿量は平均３００ｍＬであり、排尿時間は平均３０秒であることが知られている。そこから平均排尿流量を計算すると、健常者の一回当たりの最少排尿流量は０．６Ｌ／ｍｉｎとなる。また、発明者らの実験結果によると、尿中沈殿物の沈降速度は１７ｍｍ／ｓｅｃである。そして、液体の流量Ｑ＝速度Ｖ×断面積Ａの式に、Ｑ＝０．６Ｌ／ｍｉｎと、Ｖ＝１７ｍｍ／ｓｅｃを代入して計算すると、Ａ＝５８８．２ｍｍ2が得られる。上昇流路２７の断面積をこの値にすれば、健常者の最少排尿流量と同じ流量の尿Ｕが上昇流路２７を上昇するときの上昇速度が、尿中沈殿物の沈降速度と同じ速度となる。したがって、上昇流路２７の尿Ｕの流動方向と直角な断面積を５８８．２ｍｍ2よりも狭い面積とすることにより、尿中沈殿物を確実に排出させることができる。
【００３９】
尚、本実施形態では、上昇流路２７の尿Ｕの流動方向と直角な断面積を、５８８．２ｍｍ2よりも狭い面積としたのであるが、出願人側において行った実験によれば、上昇流路２７の断面積は、５８８．２ｍｍ2以上であっても２，０００ｍｍ2以下であれば、尿中沈殿物の少なくとも一部が上昇流路２７を上昇して排出口３０から排出されることが判っている。したがって、上昇流路２７の断面積を２，０００ｍｍ2以下にすれば、尿中沈殿物の残留量を極力小さく抑えることができる。
【００４０】
また、本実施形態では、健常者の一回の平均排尿量が３００ｍＬであるとの調査結果に基づき、尿Ｕの液面がウェア２８と同じ高さとなる封水状態において貯留空間１４（導入路２４を含む）及び上昇流路２７内に貯留される尿Ｕの貯留量を、３００ｍＬ以下とした。このようにすることにより、排尿が行われる度に、排尿前に貯留空間１４内及び封水部２５内に貯留されていた尿Ｕの大部分が排出されて、新しい尿Ｕと入れ替わるので、貯留空間１４の底部や導入路２４内に尿中沈殿物が残留し、増加することを防止することができる。
【００４１】
＜実施形態２＞
次に、本発明を具体化した実施形態２を図２及び図３を参照して説明する。本実施形態２の小便器用排水トラップＢは、小便器１とは別体の交換可能なカートリッジタイプのものであって、小便器１の鉢面２の下端部に配置されている。この小便器用排水トラップＢは、第１部品４１と第２部品４２を組み付けることにより、尿Ｕを貯留するための貯留空間４７を有する本体部４０と、貯留空間４７内の尿Ｕを本体部４０外へ排出させるための排出口５０と、下端のディップ５８を貯留空間４７の底部に連通させるとともに上端のウェア５９を排出口５０に連通させた形態であって、貯留空間４７内の尿Ｕが排出されるときに尿Ｕの上昇流路６０となる封水部５７とが構成されている。この小便器用排水トラップＢには、小便器１に向けて放出された尿Ｕが所定量だけ一時的に貯留されるようになっており、小便器１に排尿される度に、貯留されている尿Ｕの少なくとも一部が排出されるようになっている。
【００４２】
第１部品４１は、全体として上面が開放された容器状をなし、軸線を鉛直方向に向けた円筒状の周壁部４３と、周壁部４３の下端縁に同心状に連なっていて下方に向かって縮径した形態の擂り鉢状をなす傾斜部４４と、傾斜部４４の下端縁の開口を塞ぐ底面部４５と、底面部４５から鉛直方向上向きに延出した形態であって平面形状が半円形をなす筒状部４６とを備えている。周壁部４３と傾斜部４４と底面部４５は本体部４０を構成し、本体部４０の内部は、尿Ｕとシール液Ｓを貯留するための貯留空間４７となっている。傾斜部４４の内周面（貯留空間４７の内面）は、後述するディップ５８に向かって下り勾配となるように傾斜した誘導斜面４８となっている。筒状部４６の内部は、上下両端が開口された排出路４９となっており、排出路４９の上端の開口部は排出口５０となっており、排出路４９の下端の開口部は、本体部４０（底面部４５）を貫通して配水管（図示省略）に連なっている。
【００４３】
底面部４５の上面（貯留空間４７の内面）のうち筒状部４６の形成されていない領域は、後述するディップ５８に向かって下り勾配となるように、且つ本体部４０の軸線（筒状部４６）を略中心とした螺旋状をなすように傾斜した螺旋状傾斜面５１となっている。螺旋状傾斜面５１は対称に一対形成され、両螺旋除傾斜面５１のうち筒状部４６を挟んでディップ５８とは反対側の部分が最も高くなっており、この最も高い稜線５２において両螺旋状傾斜面５１が連なっている。また、両螺旋状傾斜面５１は、筒状部４６を挟んで互いに反対側の螺旋経路に沿って延び、ディップ５８の真下で合流している。ディップ５８の真下では、両螺旋状傾斜面５１の高さが最も低くなっている。また、両螺旋状傾斜面５１の稜線５２は、本体部４０の軸線を中心とする径方向に延びていて、外周側の端部が誘導斜面４８に連なり、内周側の端部が筒状部４６の外面に連なっている。この稜線５２は、外周側から内周側に向かって下り勾配となるように傾斜している。また、本体部４０の軸線を通る鉛直面で切断した断面において、螺旋状傾斜面５１も外周側から内周側に向かって下り勾配となるように傾斜している。
【００４４】
第２部品４２は、第１部品４１に対し、その上面の開口を覆うように組み付けられる。第２部品４２は、略水平な円盤状をなす蓋部５３と、軸線を鉛直方向に向けて蓋部５３の中心孔を同心状に貫通するように配置された円筒部５４と、円筒部５４の上面の開口部を塞ぐ上面部５５とを備えている。蓋部５３は本体部４０を構成するものであって、蓋部５３の上面は、その外周縁から中心孔に向かって下り勾配となるように傾斜している。円筒部５４は、周方向に間隔を空けた複数箇所において中心孔の内周に連なっており、中心孔の開口領域のうち円筒部５４よりも外周側の領域は、流入口５６となっている。
【００４５】
第２部品４２を第１部品４１に組み付けた状態では、筒状部４６が円筒部５４で覆われ、円筒部５４の下端の開口が本体部４０の底面部４５よりも高い位置に位置するとともに、筒状部４６の上端の排出口５０が円筒部５４の上面部５５よりも低い位置に位置する。この組付け状態においては、円筒部５４の内周と筒状部４６の外周との間の空間が封水部５７を構成し、円筒部５４の下端の開口が封水部５７のディップ５８となり、封水部５７のうち筒状部４６の上端と同じ高さの部分がウェア５９となる。そして、封水部５７の内部空間は、平面形状が半円形をなす上昇流路６０となっている。上昇流路６０は、貯留空間４７内の尿Ｕが本体部４０外へ排出されるときに、尿Ｕを上向きに流動させるための通路であり、この上昇流路６０（ディップ５８）の真下には、螺旋状傾斜面５１の最も低い下流端部が位置している。
【００４６】
筒状部４６には、略円環形をなす流入口５６に対しその下方で対峙するように位置する仕切部６１が一体に形成されている。仕切部６１は、筒状部４６の下端縁部から略水平に延出する円環形の板状をなす受け部６２と、受け部６２の外周縁部に沿って鉛直方向上向きに延出した形態の仕切壁６３とからなる。この受け部６２と仕切壁６３によって形成された仕切部６１の内部は、流入口５６に対しその下方で対峙するように上方のみに開口した円環形をなす対流空間６４となっている。
【００４７】
貯留空間４７内に貯留されている尿Ｕが排出されるときには、尿Ｕが誘導斜面４８に沿ってディップ５８（流出口）に向かうように斜め下向きに流れるので、貯留空間４７は、尿Ｕの排出時における下降流路６５を構成する。上記の仕切部６１は、その受け部６２と仕切壁６３とが略直角に連なる部分を、下降流路６５に向かって突出させた形態となっている。この仕切部６１の突出形態により、下降流路６５のうち流路の途中を局部的に狭めた形態の狭小部６６が形成されている。
【００４８】
通常は、貯留空間４７と封水部５７（上昇流路６０）内に、所定量の尿Ｕが貯留されている。このときの、上昇流路６０における尿Ｕの液面はウェア５９と同じ高さであり、上昇流路６０中に尿Ｕが満たされることにより、排水管からの異臭が小便器１側へ放出されることを防止する封水状態が保たれる。また、貯留空間４７内においては、尿Ｕの液面が、尿Ｕよりも比重の小さい非水溶性のシール液Ｓで覆われている。このシール液Ｓにより、貯留空間４７内に貯留されている尿Ｕは、大気中に直接触れることがないので、尿Ｕから発せられる異臭が大気中に放散されることはない。そして、貯留空間４７内におけるシール液Ｓの液面高さは、上昇流路６０内の尿Ｕの液面よりも僅かに上方の高さである。
【００４９】
小便器１に向けて排尿されると、尿Ｕは、鉢面に沿って流下して蓋部５３の上面を伝って流入口５６に至る経路、又は直接流入口５６に至る経路を経て、貯留空間４７内に流入する。貯留空間４７内に流入した尿Ｕは、シール液Ｓを突き抜けて対流空間６４内に進入し、流れを下向きから上向きに転じて対流を生じ、さらに、仕切壁６３を乗り越えて下降流路６５（誘導斜面４８）に沿って斜め下向きに流れ、貯留空間４７の底部で流れを上向きに転じて、上昇流路６０を通過し、ウェア５９から溢れだして、排出口５０から排出路４９内に落下し、配水管へ排出される。流入口５６からの尿Ｕの流入が終ると、上昇流路６０内の尿Ｕの液面がウェア５９と同じ高さとなる封水状態に戻る。
【００５０】
また、尿Ｕの流入により、シール液Ｓの一部が攪拌されて対流空間６４内に引き込まれるのであるが、引き込まれたシール液Ｓは、仕切部６１の水平な受け部６２に跳ね返されて対流空間６４内で対流を生じるので、下降流路６５まで流出し難い。そして、シール液Ｓは尿Ｕよりも比重が小さいので、尿Ｕの流入の勢いが弱まると、対流空間６４内のシール液Ｓは、浮力により上昇して、尿Ｕの液面を覆っているシール液Ｓと合流する。また、仮に、シール液Ｓの一部が、対流空間６４から仕切壁６３を乗り越える尿Ｕの流れに乗じて対流空間６４外へ流れ出たとしても、シール液Ｓの比重は尿Ｕより小さいので、対流空間６４外へ流れ出たシール液Ｓは、下降流路６５には至らずに浮力により上昇して、尿Ｕの液面を覆っているシール液Ｓと合流する。したがって、多量のシール液Ｓが排出口５０から排出される虞がなく、使用期間が長期に亘ってもシール液Ｓの減少を抑えることができる。
【００５１】
尿Ｕの流入が行われていない間、尿中沈殿物が、沈降して誘導斜面４８及び螺旋状傾斜面５１に落下する。ここで、誘導斜面４８は、水平面に対してディップ５８に向かって下り勾配となるように傾斜しているので、誘導斜面４８上に落下した尿中沈殿物は、誘導斜面４８の傾斜にしたがって転がり、螺旋状傾斜面５１上に落ちる。この螺旋状傾斜面５１も、誘導斜面４８と同様にディップ５８に向かって下り勾配となるように傾斜しているので、螺旋状傾斜面５１に落ちた尿中沈殿物は、螺旋状傾斜面５１の傾斜にしたがって転がり、ディップ５８の近傍に至る。このように、尿中沈殿物の大部分は、ディップ５８の近傍に集まるようになっている。そして、この尿中沈殿物は、貯留空間４７内の尿Ｕが上昇流路６０に向かって貯留空間４７の底部を流れる際に、その尿Ｕの流れに乗じて巻き上げられ、上昇流路６０を上昇して確実に排出される。
【００５２】
また、尿中沈殿物が誘導斜面４８上や螺旋状傾斜面５１上に溜まったままになった場合でも、貯留空間４７内の尿Ｕが排出される際には、尿Ｕが、誘導斜面４８と螺旋状傾斜面５１に沿った流れとなるので、誘導斜面４８上及び螺旋状傾斜面５１上の尿中沈殿物は、尿Ｕの流れに引きずられてディップ５８まで到達する。したがって、尿中沈殿物は、排出される尿Ｕの流れに乗じてディップ５８から上昇流路６０内に確実に引き込まれて排出される。
【００５３】
また、貯留空間４７内には、その上端からディップ５８に向かう尿Ｕの下降流路６５の途中を局部的に狭めた形態の狭小部６６が形成されている。これにより、尿Ｕが下降流路６５を流れる際には、尿Ｕの流速が、狭小部６６において急に高まり、狭小部６６を通過後に急に低下するので、狭小部６６よりも下流側である貯留空間４７の底部（即ち、ディップ５８の下方の近傍領域）では乱流状態となり、この乱流により貯留空間４７の底部に沈殿している尿中沈殿物が巻き上げられる。巻き上げられた尿中沈殿物は、排出される尿Ｕの流れに乗じて上昇流路６０を上昇するので、確実に排出される。
【００５４】
特に、本実施形態では、シール液Ｓの流出防止手段である対流空間６４を形成するための仕切部６１が、狭小部６６を形成するための手段を兼ねているので、狭小部６６を、仕切部６１とは独立して形成したものに比べると、貯留空間４７内の形状を簡素化することができる。
【００５５】
また、本実施形態２では、実施形態１と同じく、上昇流路６０の尿Ｕの流動方向（鉛直上向き方向）と直角（水平）な断面積は、尿排出時における上昇流路６０内の尿Ｕの上昇速度が、尿中沈殿物の沈降速度を上回るような大きさ、即ち、５８８．２ｍｍ2よりも狭い面積に設定されている。これにより、尿Ｕが上昇流路６０を上昇する際には、その尿Ｕの流れに乗じた尿中沈殿物は沈降しながらも、確実に上昇を続けるので、尿中沈殿物が貯留空間４７の底部に残留することなく、確実に排出される。また、上昇流路６０の尿Ｕの流動方向と直角な断面積は、５８８．２ｍｍ2以上、且つ２，０００ｍｍ2以下にしてもよい。このようにすれば、尿中沈殿物の残留量を極力小さく抑えることができる。
【００５６】
また、本実施形態２でも、実施形態１と同じく、尿Ｕの液面がウェア５９と同じ高さとなる封水状態において貯留空間４７及び上昇流路６０内に貯留される尿Ｕの貯留量を、３００ｍＬ以下とし、貯留空間４７の底部に尿中沈殿物が残留し、増加することを防止している。
【００５７】
＜実施形態３＞
次に、本発明を具体化した実施形態３を図４を参照して説明する。本実施形態３の小便器用排水トラップＣは、螺旋状傾斜面７０を上記実施形態２の小便器用排水トラップＢとは異なる構成としたものである。その他の構成については上記実施形態２と同じであるため、同じ構成については、同一符号を付し、構造、作用及び効果の説明は省略する。
【００５８】
本実施形態３の小便器用排水トラップＣにおいても、第１部品４１の底面部４５の上面（貯留空間４７の内面）のうち筒状部４６の形成されていない領域は、ディップ５８に向かって下り勾配となるように、且つ本体部４０の軸線（筒状部４６）を略中心とした螺旋状をなすように傾斜した螺旋状傾斜面７０となっている。上記実施形態２では、螺旋状傾斜面５１が一対対称に形成されていのに対し、本実施形態３の螺旋状傾斜面７０は１つだけである。螺旋状傾斜面７０は、筒状部４６の円弧状をなす外周面に沿うように形成されている。
【００５９】
＜実施形態４＞
次に、本発明を具体化した実施形態４を図５を参照して説明する。本実施形態４の小便器用排水トラップＤは、小便器とは別体の交換可能なカートリッジタイプのものであって、小便器１の鉢面２の下端部に配置されている。この小便器用排水トラップＤは、第１部品８１と第２部品８２を組み付けることにより、尿Ｕを貯留するための貯留空間８７を有する本体部８０と、貯留空間８７内の尿Ｕを本体部８０外へ排出させるための排出口９０と、下端のディップ９６を貯留空間８７の底部に連通させるとともに上端のウェア９７を排出口９０に連通させた形態であって、貯留空間８７内の尿Ｕが排出されるときに尿Ｕの上昇流路９８となる封水部９５とが構成されている。
【００６０】
第１部品８１は、全体として上面が開放された容器状をなし、軸線を鉛直方向に向けた円筒状の周壁部８３と、周壁部８３の下端縁に同心状に連なっていて下方に向かって縮径した形態の擂り鉢状をなす傾斜部８４と、傾斜部８４の下端縁の開口を塞ぐ底面部８５と、底面部８５から鉛直方向上向きに延出した形態であって平面形状が半円形をなす筒状部８６とを備えている。周壁部８３と傾斜部８４と底部は本体部８０を構成し、本体部８０の内部は、尿Ｕとシール液Ｓを貯留するための貯留空間８７となっている。傾斜部８４の内周面（貯留空間８７の内面）は、後述するディップ９６に向かって下り勾配となるように傾斜した誘導斜面８８となっている。誘導斜面８８は、全周に亘って同じ形態であり、概ね擂り鉢状をなしている。筒状部８６の内部は、上下両端が開口された排出路８９となっており、排出路８９の上端の開口部は排出口９０となっており、排出路８９の下端の開口部は、本体部８０（底面部８５）を貫通して配水管（図示省略）に連なっている。
【００６１】
第２部品８２は、第１部品８１に対し、その上面の開口を覆うように組み付けられる。第２部品８２は、略水平な円盤状をなす蓋部９１と、軸線を鉛直方向に向けて蓋部９１の中心孔を同心状に貫通するように配置された円筒部９２と、円筒部９２の上面の開口部を塞ぐ上面部９３とを備えている。蓋部９１は本体部８０を構成するものであって、蓋部９１の上面は、その外周縁から中心孔に向かって下り勾配となるように傾斜している。円筒部９２は、周方向に間隔を空けた複数箇所において中心孔の内周に連なっており、中心孔の開口領域のうち円筒部９２よりも外周側の領域は、流入口９４となっている。
【００６２】
第２部品８２を第１部品８１に組み付けた状態では、筒状部８６が円筒部９２で覆われ、円筒部９２の下端の開口が本体部８０の底面部８５よりも高い位置に位置するとともに、筒状部８６の上端の排出口９０が円筒部９２の上面部９３よりも低い位置に位置する。この組付け状態においては、円筒部９２の内周と筒状部８６の外周との間の空間が封水部９５を構成し、円筒部９２の下端の開口が封水部９５のディップ９６となり、封水部９５のうち筒状部８６の上端と同じ高さの部分がウェア９７となる。そして、封水部９５の内部空間は、貯留空間８７内の尿Ｕが本体部８０外へ排出されるときに、尿Ｕを上向きに流動させるための上昇流路９８となっている。
【００６３】
筒状部８６には、略円環形をなす流入口９４に対しその下方で対峙するように位置する仕切部９９が一体に形成されている。仕切部９９は、筒状部８６の下端縁部から、全周に亘って誘導斜面８８と概ね平行をなすように斜め外上方向へ板状に延出している。つまり、仕切部９９は、本体部８０と同心の擂り鉢状をなしている。この仕切部９９の内部は、流入口９４に対しその下方で対峙するように上方のみに開口した円環形をなす対流空間１００となっている。
【００６４】
貯留空間８７内に貯留されている尿Ｕが排出されるときには、尿Ｕが誘導斜面８８に沿ってディップ９６（流出口）に向かうように斜め下向きに流れるので、貯留空間８７は、尿Ｕの排出時における下降流路１０１を構成する。上記の仕切部９９は、誘導斜面８８の一部に対して接近した配置となっており、下降流路１０１のうち仕切部９９と誘導斜面８８とが同心円状に接近して対応する部分が、流路の途中を局部的に狭めた形態の狭小部１０２となっている。
【００６５】
通常は、貯留空間８７と封水部９５（上昇流路９８）内に、所定量の尿Ｕが貯留され、これにより、排水管からの異臭が小便器１側へ放出されることを防止する封水状態が保たれる。また、貯留空間８７内においては、尿Ｕの液面が、尿Ｕよりも比重の小さい非水溶性のシール液Ｓで覆われている。
【００６６】
尿Ｕの流入が行われていない間、尿中沈殿物が、沈降して誘導斜面８８に落下する。ここで、誘導斜面８８は、水平面に対してディップ９６に向かって下り勾配となるように傾斜しているので、誘導斜面８８上に落下した尿中沈殿物の大部分は、誘導斜面８８の傾斜にしたがって転がり、ディップ９６の近傍に至る。ディップ９６の近傍に集まった尿中沈殿物は、貯留空間８７内の尿Ｕがその底部を通過する際に、その尿Ｕの流れに乗じて巻き上げられ、上昇流路９８を上昇して確実に排出される。
【００６７】
また、尿中沈殿物が誘導斜面８８上に溜まったままになった場合でも、貯留空間８７内の尿Ｕが排出される際には、尿Ｕが、誘導斜面８８（下降流路１０１）に沿った流れとなるので、誘導斜面８８上の尿中沈殿物は、尿Ｕの流れに引きずられてディップ９６まで到達する。したがって、尿中沈殿物は、排出される尿Ｕの流れに乗じてディップ９６から上昇流路９８内に確実に引き込まれて排出される。
【００６８】
また、貯留空間８７内には、下降流路１０１の途中を局部的に狭めた形態の狭小部１０２が形成されているので、貯留空間８７の底部（即ち、ディップ９６の下方の近傍領域）では、尿Ｕが乱流状態となり、この乱流により貯留空間８７の底部に沈殿している尿中沈殿物が巻き上げられて上昇流路９８を上昇し、確実に排出される。
【００６９】
また、本実施形態４でも、実施形態１〜３と同じく、上昇流路９８の尿Ｕの流動方向（鉛直上向き方向）と直角（水平）な断面積は、尿排出時における上昇流路９８内の尿Ｕの上昇速度が尿中沈殿物の沈降速度を上回るように、５８８．２ｍｍ2よりも狭い面積に設定されている。尚、上昇流路９８の尿Ｕの流動方向と直角な断面積は、５８８．２ｍｍ2以上、且つ２，０００ｍｍ2以下にしてもよい。また、実施形態１〜３と同じく、尿Ｕの液面がウェア９７と同じ高さとなる封水状態において貯留空間８７（導入路を含む）及び上昇流路９８内に貯留される尿Ｕの貯留量を、３００ｍＬ以下としている。
【００７０】
本実施形態４は上記構成であるが、その他の構成については上記実施形態２と同じであるため、構造、作用及び効果の説明は省略する。
【００７１】
＜実施形態５＞
次に、本発明を具体化した実施形態５を図６及び図７を参照して説明する。本実施形態５の小便器用排水トラップＥは、小便器１とは別体の交換可能なカートリッジタイプのものであって、小便器１の鉢面２の下端部に配置されている。この小便器用排水トラップＥは、第１部品１１１と第２部品１１２を組み付けることにより、尿（図示省略）を貯留するための貯留空間１１７を有する本体部１１０と、貯留空間１１７内の尿を本体部１１０外へ排出させるための排出口１１９と、下端のディップ１２７を貯留空間１１７の底部に連通させるとともに上端のウェア１２８を排出口１１９に連通させた形態であって、貯留空間１１７内の尿が排出されるときに尿の上昇流路１２９となる封水部１２６とが構成されている。この小便器用排水トラップには、小便器に向けて放出された尿が所定量だけ一時的に貯留されるようになっており、小便器に排尿される度に、貯留されている尿の少なくとも一部が排出されるようになっている。
【００７２】
第１部品１１１は、全体として上面が開放された容器状をなし、軸線を鉛直方向に向けた円筒状の周壁部１１３と、周壁部１１３の下端縁の開口を塞ぐ底面部１１４と、底面部１１４から鉛直方向上向きに延出した形態であって平面形状が半円形をなす筒状部１１５と、底面部１１４のうち筒状部１１５の下端に連通して底面部１１４の下面に開口する導出路１１６とを備えている。周壁部１１３と底面部１１４は本体部１１０を構成し、本体部１１０の内部は、尿とシール液（図示省略）を貯留するための貯留空間１１７となっている。筒状部１１５の内部は排出路１１８となっており、排出路１１８の上端の開口部は排出口１１９となっており、排出路１１８の下端の開口部は、導出路１１６を介して配水管（図示省略）に連なっている。
【００７３】
底面部１１４の上面（貯留空間１１７の内面）のうち筒状部１１５の形成されていない領域は、後述するディップ１２７に向かって下り勾配となるように、且つ本体部１１０の軸線（筒状部１１５）を略中心とした螺旋状をなすように傾斜した螺旋状傾斜面１２０となっている。螺旋状傾斜面１２０は、筒状部１１５をほぼ全周に亘って一周するように包囲し、その平面形状は本体部１１０と同心の円環形である。螺旋状傾斜面１２０の最も高い始端縁部１２０ａと最も低い終端縁部１２０ｂは、周方向においてディップ１２７と対応するように位置しており、螺旋状傾斜面１２０の始端縁部１２０ａと終端縁部１２０ｂとは、鉛直面１２１を介して段差状をなしている。また、螺旋状傾斜面１２０の内周縁のうち筒状部１１５の半円形をなす曲面部１１５ａと対応する略半円領域は、曲面部１１５ａの外周面に連なっている。一方、螺旋状傾斜面１２０の内周縁のうち筒状部１１５の平板部１１５ｂと対応する領域は、曲面部１１５ａと同心の略半円弧形をなす。螺旋状傾斜面１２０のうち平板部１１５ｂとの対応領域と、底面部１１４の上面のうちディップ１２７の真下に対応する半円弧形領域とは、段差状をなしている。
【００７４】
第２部品１１２は、第１部品１１１に対し、その上面の開口を覆うように組み付けられる。第２部品１１２は、略水平な円盤状をなす蓋部１２２と、軸線を鉛直方向に向けて蓋部１２２の中心孔を同心状に貫通するように配置された円筒部１２３と、円筒部１２３の上面の開口部を塞ぐ上面部１２４とを備えている。蓋部１２２は本体部１１０を構成するものであって、蓋部１２２の上面は、その外周縁から中心孔に向かって下り勾配となるように傾斜している。円筒部１２３は、周方向に間隔を空けた複数箇所において中心孔の内周に連なっており、中心孔の開口領域のうち円筒部１２３よりも外周側の領域は、流入口１２５となっている。
【００７５】
第２部品１１２を第１部品１１１に組み付けた状態では、筒状部１１５が円筒部１２３で覆われ、円筒部１２３の下端の開口が本体部１１０の底面部１１４よりも高い位置に位置するとともに、筒状部１１５の上端の排出口１１９が円筒部１２３の上面部１２４よりも低い位置に位置する。この組付け状態においては、円筒部１２３の内周と筒状部１１５の外周との間の空間が封水部１２６を構成し、円筒部１２３の下端の開口が封水部１２６のディップ１２７となり、封水部１２６のうち筒状部１１５の上端と同じ高さの部分がウェア１２８となる。そして、封水部１２６の内部空間は、平面形状が半円形をなす上昇流路１２９となっている。上昇流路１２９は、貯留空間１１７内の尿が本体部１１０外へ排出されるときに、尿を上向きに流動させるための通路であり、この上昇流路１２９（ディップ１２７）の真下には、螺旋状傾斜面１２０の最も低い下流端部が位置している。
【００７６】
筒状部１１５には、略円環形をなす流入口１２５に対しその下方で対峙するように位置する仕切部１３０が一体に形成されている。仕切部１３０は、筒状部１１５の下端縁部から略水平に延出する円環形の板状をなす受け部１３１と、受け部１３１の外周縁部に沿って鉛直方向上向きに延出した形態の仕切壁１３２とからなる。この受け部１３１と仕切壁１３２によって形成された仕切部１３０の内部は、流入口１２５に対しその下方で対峙するように上方のみに開口した円環形をなす対流空間１３３となっている。
【００７７】
通常は、貯留空間１１７と封水部１２６（上昇流路１２９）内に、所定量の尿が貯留されている。このときの、上昇流路１２９における尿の液面はウェア１２８と同じ高さであり、上昇流路１２９中に尿が満たされることにより、排水管からの異臭が小便器１側へ放出されることを防止する封水状態が保たれる。また、貯留空間１１７内においては、尿の液面が、尿よりも比重の小さい非水溶性のシール液で覆われている。このシール液により、貯留空間１１７内に貯留されている尿は、大気中に直接触れることがないので、尿から発せられる異臭が大気中に放散されることはない。そして、貯留空間１１７内におけるシール液の液面高さは、上昇流路１２９内の尿の液面よりも僅かに上方の高さである。
【００７８】
小便器１に向けて排尿されると、尿は、鉢面２に沿って流下して蓋部１２２の上面を伝って流入口１２５に至る経路、又は直接流入口１２５に至る経路を経て、貯留空間１１７内に流入する。貯留空間１１７内に流入した尿は、シール液を突き抜けて対流空間１３３内に進入し、流れを下向きから上向きに転じて対流を生じ、さらに、仕切壁１３２を乗り越えて流れの方向を下向きに転じる。そして、下向きに転じた尿は、螺旋状傾斜面１２０において流れの向きを螺旋方向に転じディップ１２７の下方（貯留空間１１７の底部）に至る。そして、貯留空間１１７の底部で流れの向きを上向きに転じた尿は、筒状部１１５の平板部の外面に沿って上昇し、上昇流路１２９を通過してウェア１２８から溢れだし、排出口１１９から排出路１１８内を落下し、導出路１１６を経て配水管へ排出される。流入口１２５からの尿の流入が終ると、上昇流路１２９内の尿の液面がウェア１２８と同じ高さとなる封水状態に戻る。
【００７９】
また、尿の流入により、シール液の一部が攪拌されて対流空間１３３内に引き込まれるのであるが、引き込まれたシール液は、仕切部１３０の水平な受け部１３１に跳ね返されて対流空間１３３内で対流を生じるので、下降流路１３４まで流出し難い。そして、シール液は尿よりも比重が小さいので、尿の流入の勢いが弱まると、対流空間１３３内のシール液は、浮力により上昇して、尿の液面を覆っているシール液と合流する。また、仮に、シール液の一部が、対流空間１３３から仕切壁１３２を乗り越える尿の流れに乗じて対流空間１３３外へ流れ出たとしても、シール液の比重は尿より小さいので、対流空間１３３外へ流れ出たシール液は、下降流路１３４には至らずに浮力により上昇して、尿の液面を覆っているシール液と合流する。したがって、多量のシール液が排出口１１９から排出される虞がなく、使用期間が長期に亘ってもシール液の減少を抑えることができる。
【００８０】
尿の流入が行われていない間、尿中沈殿物が沈降して螺旋状傾斜面１２０に落下する。ここで、螺旋状傾斜面１２０はディップ１２７に向かって下り勾配となるように傾斜しているので、螺旋状傾斜面１２０に落ちた尿中沈殿物は、螺旋状傾斜面１２０の傾斜にしたがって転がり、ディップ１２７の近傍に至る。このように、尿中沈殿物の大部分は、ディップ１２７の近傍に集まるようになっている。そして、この尿中沈殿物は、貯留空間１１７内の尿がその底部を通過する際に、その尿の流れに乗じて巻き上げられ、上昇流路１２９を上昇して確実に排出される。
【００８１】
また、尿中沈殿物が螺旋状傾斜面１２０上に溜まったままになった場合でも、貯留空間１１７内の尿が排出される際には、尿が、螺旋状傾斜面１２０に沿った流れとなるので、螺旋状傾斜面１２０上の尿中沈殿物は、尿の流れに引きずられてディップ１２７まで到達する。したがって、尿中沈殿物は、排出される尿の流れに乗じてディップ１２７から上昇流路１２９内に確実に引き込まれて排出される。
【００８２】
また、貯留空間１１７内には、その上端からディップ１２７に向かう尿の下降流路１３４の途中を局部的に狭めた形態の狭小部１３５が、仕切部１３０によって形成されている。これにより、尿が下降流路１３４を流れる際には、尿の流速が、狭小部１３５において急に高まり、狭小部１３５を通過後に急に低下するので、狭小部１３５よりも下流側である貯留空間１１７の底部（即ち、ディップ１２７の下方の近傍領域）では乱流状態となり、この乱流により貯留空間１１７の底部に沈殿している尿中沈殿物が巻き上げられる。巻き上げられた尿中沈殿物は、排出される尿の流れに乗じて上昇流路１２９を上昇するので、確実に排出される。
【００８３】
特に、本実施形態では、シール液の流出防止手段である対流空間１３３を形成するための仕切部１３０が、狭小部１３５を形成するための手段を兼ねているので、狭小部１３５を、仕切部１３０とは独立して形成したものに比べると、貯留空間１１７内の形状を簡素化することができる。
【００８４】
また、本実施形態５でも、実施形態１〜４と同じく、上昇流路１２９の尿の流動方向（鉛直上向き方向）と直角（水平）な断面積は、尿排出時における上昇流路１２９内の尿の上昇速度が尿中沈殿物の沈降速度を上回るように、５８８．２ｍｍ2よりも狭い面積に設定されている。尚、上昇流路１２９の尿の流動方向と直角な断面積は、５８８．２ｍｍ2以上、且つ２，０００ｍｍ2以下にしてもよい。また、実施形態１〜４と同じく、尿の液面がウェア１２８と同じ高さとなる封水状態において貯留空間１１７（導入路を含む）及び上昇流路１２９内に貯留される尿の貯留量を、３００ｍＬ以下としている。
【００８５】
＜他の実施形態＞
本発明は上記記述及び図面によって説明した実施形態に限定されるものではなく、例えば次のような実施形態も本発明の技術的範囲に含まれる。
（１）上記実施形態１では、対流空間を形成するための仕切部が、狭小部の形成手段を兼ねるようにしたが、狭小部は、対流空間を形成するための仕切部を利用せずに形成してもよい。
（２）上記実施形態１では、封水部（上昇流路）を本体部の外部に配置したが、封水部（上昇流路）は本体部の内部に配置してもよい。
（３）上記実施形態１〜５では、本体部を小便器とは別体の部品としたが、本体部を小便器と一体に形成してもよい。
（４）上記実施形態２〜５では、貯留空間を構成する第１部品と、貯留空間の上方を覆う第２部品とを別体の部品としたが、２つの部品を一体に形成してもよい。
（５）上記実施形態２，３，５に記載した螺旋状傾斜面を形成する技術は、実施形態１，４にも適用することができる。
（６）上記実施形態１〜５では、貯留空間内に貯留されている尿の液面をシール液で覆い隠したが、本発明は、シール液を設けない構成も含む。
（７）上記実施形態１〜５では、貯留空間内及び封水部内における尿の最大貯留量を３００ｍＬとしたが、最大貯留量は３００ｍＬより多くてもよい。
【符号の説明】
【００８６】
Ａ，Ｂ，Ｃ，Ｄ，Ｅ…小便器用排水トラップ
Ｓ…シール液
Ｕ…尿
１…小便器
２…鉢面
１０，４０，８０，１１０…本体部
１４，４７，８７，１１７…貯留空間
１５，５６，９４，１２５…流入口
１６，４８，８８…誘導斜面
１８，６１，９９，１３０…仕切部
２１，６４，１００，１３３…対流空間
２２，６５，１０１，１３４…下降流路
２３，６６，１０２，１３５…狭小部
２５，５７，９５，１２６…封水部
２６，５８，９６，１２７…ディップ
２７，６０，９８，１２９…上昇流路
２８，５９，９７，１２８…ウェア
３０，５０，９０，１１９…排出口
５１，７０，１２０…螺旋状傾斜面
【図１】
0005586301.tif 000002
【図２】
0005586301.tif 000003
【図３】
0005586301.tif 000004
【図４】
0005586301.tif 000005
【図５】
0005586301.tif 000006
【図６】
0005586301.tif 000007
【図７】
0005586301.tif 000008